(57)【要約】【課題】  低い費用で高い端子間耐電圧を確保する。【解決手段】  上方に延び上端側に端子４１〜４３が設けられたブッシング３１、３４、３３が３対配設されている。中央に位置するブッシングを調整ブッシング３４として他のブッシング３１、３３よりも高いブッシングを配設し、隣接する調整ブッシング３４の端子４２と他のブッシング３１、３３の端子４１、４３との距離Ｌ２を長くして、所定の端子間耐電圧が得られるようにする。【選択図】  図３
2011142712.tif 000002
【特許請求の範囲】
【請求項１】
上方に延び上端側に端子が設けられた碍管が複数配設された開閉器の開閉器端子間の絶縁性確保方法であって、
少なくともひとつの碍管を調整碍管として他の碍管よりも高い碍管を配設し、隣接する前記調整碍管の端子と前記他の碍管の端子との距離を長くして所定の端子間耐電圧が得られるようにする、ことを特徴とする開閉器端子間の絶縁性確保方法。
【請求項２】
前記調整碍管として、前記他の碍管と同じ配設構造であり前記他の碍管よりも高い既製の碍管を配設する、ことを特徴とする請求項１に記載の開閉器端子間の絶縁性確保方法。
【発明の詳細な説明】
【技術分野】
【０００１】
この発明は、開閉器の端子間（相間）の耐電圧を高めるための開閉器端子間の絶縁性確保方法に関する。
【背景技術】
【０００２】
例えば、ガス絶縁開閉装置（開閉器）は、遮断器や断路器などの開閉装置を、六フッ化硫黄ガスなどの絶縁性ガスが満たされた密閉容器内に収容し、各相の絶縁導出部にブッシング（碍管）が設けられている（例えば、特許文献１参照。）。そして、各相の端子（導電部）の対地耐電圧として、公称電圧（電路を代表する線間電圧）などに応じた値が得られるように設定されている。すなわち、ブッシングの上端側に端子が設けられ、所定の対地耐電圧が得られるようにブッシングの高さが設定されている。さらに、各相のブッシングが同じ高さに設定され、従って各相の端子の高さ位置も同じで、各相の端子間の距離も一定となっている。そして、このようなブッシングを備えた既製の開閉器では、公称電圧や汚損区分（塩分付着性）ごとに、ブッシングの高さが規定されている。
【先行技術文献】
【特許文献】
【０００３】
【特許文献１】特開２００５−３１２２０６号公報
【発明の概要】
【発明が解決しようとする課題】
【０００４】
ところで、開閉器が運用される環境によっては、端子間の耐電圧・絶縁性（端子間耐電圧）がより大きく求められる場合がある。すなわち、変圧器の高圧側巻線に衝撃性異常電圧（雷サージなど）が侵入し、低圧側巻線に移行する電圧（静電移行電圧、３次移行電圧）が発生すると、対地耐電圧よりも大きな端子間耐電圧が必要となる。このような場合、上記のような既製の開閉器で高い端子間耐電圧を確保しようとすると、公称電圧（電圧階級）が高いクラスの開閉器を採用する必要があり、設備費がかさむことになる。また、高い端子間耐電圧を有する開閉器を個々に開発、製作するには多大な費用を要する。
【０００５】
そこでこの発明は、低い費用で高い端子間耐電圧を確保することが可能な開閉器端子間の絶縁性確保方法を提供することを目的とする。
【課題を解決するための手段】
【０００６】
上記目的を達成するために請求項１に記載の発明は、上方に延び上端側に端子が設けられた碍管が複数配設された開閉器の開閉器端子間の絶縁性確保方法であって、少なくともひとつの碍管を調整碍管として他の碍管よりも高い碍管を配設し、隣接する前記調整碍管の端子と前記他の碍管の端子との距離を長くして所定の端子間耐電圧が得られるようにする、ことを特徴とする。
【０００７】
請求項２に記載の発明は、請求項１に記載の開閉器端子間の絶縁性確保方法において、前記調整碍管として、前記他の碍管と同じ配設構造であり前記他の碍管よりも高い既製の碍管を配設する、ことを特徴とする。
【発明の効果】
【０００８】
請求項１に記載の発明によれば、複数の碍管のうちの少なくともひとつを調整碍管とし、この調整碍管の高さを他の碍管よりも高くすることで、隣接する調整碍管の端子と他の碍管の端子との距離を長くし、所定の端子間耐電圧が得られるようにする。このように、調整碍管として他の碍管よりも高い碍管を配設するだけでよいため、低い費用で高い端子間耐電圧を確保することが可能となる。すなわち、公称電圧（対地耐電圧）が同じ既製の開閉器を利用して、調整碍管のみに高い碍管を配設することで、公称電圧が高いクラスの開閉器を採用したり、高い端子間耐電圧を有する開閉器を開発、製作したりすることなく、低い費用で高い端子間耐電圧を確保することが可能となる。
【０００９】
請求項２に記載の発明によれば、調整碍管として、他の碍管と同じ配設構造で高さの高い既製の碍管を配設するため、配設構造を変更などすることなくそのまま配設することができ、しかも、既製の碍管を利用するため、低い費用で高い端子間耐電圧を確保することが可能となる。
【図面の簡単な説明】
【００１０】
【図１】この発明の実施の形態に係る絶縁性確保方法の対象となる開閉器の正面図である。
【図２】図１の開閉器の側面図である。
【図３】この発明の実施の形態に係る絶縁性確保方法を適用した状態を示す開閉器の正面図である。
【図４】図１の開閉器のブッシングの正面図である。
【発明を実施するための形態】
【００１１】
以下、この発明を図示の実施の形態に基づいて説明する。
【００１２】
図１は、この発明の実施の形態に係る開閉器端子間の絶縁性確保方法の対象となる開閉器１を示す正面図であり、図２は、開閉器１の側面図である。この開閉器１は、この実施の形態では、ガス絶縁開閉装置であり、遮断器や断路器などの開閉装置が、六フッ化硫黄ガスなどの絶縁性ガスが満たされたタンク２（密閉容器）内に収容され、電力線の各相（３相）に対応して３対のブッシング（碍管）３１〜３３が設けられている。このブッシング３１〜３３は、筒状の磁器で上方に延び、上端に電力線を接続する端子４１〜４３が配設されている。
【００１３】
そして、第１のブッシング３１と第１のブッシング３１とが、互いに対向し、かつ下方から上方に向って互いの距離が離れるように斜め上方に延びて配設されている。第２のブッシング３２と第３のブッシング３３も同様に配設されている。また、すべてのブッシング３１〜３３の形状、高さが同寸法で、各端子４１〜４３の高さも同位置となっている。さらに、各ブッシング３１〜３３間の間隔も一定で、各端子４１〜４３間の距離Ｌ１も同一となっている。ここで、ブッシング３１〜３３の高さ、つまり端子４１〜４３の高さ位置は、開閉器１の公称電圧などに基づいて所定の対地耐電圧が得られるように設定されている。また、各ブッシング３１〜３３は、ボルト、ナットなどを介して、タンク２に対して着脱自在となっている。
【００１４】
このような開閉器１に対して、高い端子間耐電圧を確保する必要がある場合、次のようにして各端子４１〜４３間の間隔を変える。すなわち、図３に示すように、中央に位置する一対の第２のブッシング３２を取り外し、他のブッシング３１、３３よりも高さが高いブッシングを配設して調整ブッシング３４とする。そして、隣接する調整ブッシング３４の端子４２と他のブッシング３１、３３の端子４１、４３との距離Ｌ２を、元の距離Ｌ１よりも長くして所定の端子間耐電圧が得られるようにする。このように、中央に位置するブッシングを調整ブッシング３４としているのは、このブッシングを調整ブッシング３４とすることで、第２の端子４２と両隣に位置する第１の端子４１および第３の端子４３との距離を長くすることができるからである。つまり、少ない調整ブッシング３４で、高い端子間耐電圧を確保することができるからである。
【００１５】
このとき、調整ブッシング３４として、ブッシング３１〜３３と同じ配設構造でありブッシング３１〜３３よりも高い既製（市販）のブッシングを配設する。すなわち、既製の開閉器では、図４に示すようなブッシングの高さＨ、上端径φＤ１、下端径φＤ２および、開閉器本体への配設構造（ボルトの径や位置など）が、公称電圧や汚損区分ごとに規定されている。そして、元の第２のブッシング３２に代わって取り付けることが可能で、かつ第２のブッシング３２よりも高さが高い既製のブッシングを調整ブッシング３４として選択し、配設するものである。
【００１６】
ここで、調整ブッシング３４の高さは、次のようにして算出、選定する。まず、必要となる端子間耐電圧（フラッシュオーバ電圧）、すなわち雷サージなどの衝撃性異常電圧によって発生する３次移行電圧（静電移行電圧）を、避雷器の制限電圧（避雷器に放電電流が流れている時の避雷器の端子間電圧）、耐圧係数、気象係数、相間電圧の波高値（最大値）に基づいて算出する。次に、算出した端子間耐電圧に基づいて、必要な端子間距離（Ｌ２）を算出し、この端子間距離（Ｌ２）と各ブッシング３１〜３３間の設置間隔（Ｌ１）とに基づいて、調整ブッシング３４の所要高さを算出する。そして、この所要高さよりも高い既製のブッシングを調整ブッシング３４として選択するものである。
【００１７】
以上のように、この開閉器端子間の絶縁性確保方法によれば、中央に位置するブッシング３２を調整ブッシング３４とし、この調整ブッシング３４の高さを他のブッシング３１、３３よりも高くするだけで所定の端子間耐電圧が得られる。このため、低い費用で高い端子間耐電圧を確保することが可能となる。すなわち、公称電圧が同じ既製の開閉器１を利用して、ひとつの調整ブッシング３４のみに高いブッシングを配設することで、公称電圧が高いクラスの開閉器を採用したり、高い端子間耐電圧を有する開閉器を開発、製作したりすることなく、低い費用で高い端子間耐電圧を確保することが可能となる。しかも、調整ブッシング３４として、元の第２のブッシング３２と同じ配設構造で高さが高い既製のブッシングを配設するため、配設構造を変更などすることなくそのまま配設することができ、しかも、既製のブッシングを利用するため、低い費用で高い端子間耐電圧を確保することが可能となる。このように、公称電圧や所要対地耐電圧に適合した開閉器１をそのまま使用し、かつ既製のブッシングを利用して、容易かつ低コストで高い端子間耐電圧を確保することが可能となる。
【００１８】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、調整ブッシング３４として既製のブッシングを配設しているが、所望の高さＨを有する既製のブッシングがない場合などには、個々に製作した調整ブッシング３４を配設してもよい。また、開閉器１がガス絶縁開閉装置の場合について説明したが、気中開閉器や真空開閉器などにも適用することができることは勿論である。
【符号の説明】
【００１９】
１          開閉器
２          タンク
３１〜３３  ブッシング（碍管）
３４        調整ブッシング（調整碍管）
４１〜４３  端子
【図１】
2011142712.tif 000003
【図２】
2011142712.tif 000004
【図３】
2011142712.tif 000005
【図４】
2011142712.tif 000006